(57)【特許請求の範囲】
【請求項１】
固有の第１識別情報を有し、当該第１識別情報を送信可能な携帯機と、
前記第１識別情報と関連づけがされた第２識別情報が記憶された記憶媒体と、
前記第２識別情報を登録可能であるとともに、前記携帯機から前記第１識別情報を受信して、当該第１識別情報と予め登録されている登録情報とを照合し、その照合結果に基づいて、ドア、窓等の施解錠を行う電子錠に施解錠信号を出力する施解錠制御装置と、
前記記憶媒体を着脱可能であり、且つ、前記施解錠制御装置に電気的に接続された端子部を有する記憶媒体ホルダと
を備えた建物の施解錠システムであって、
前記施解錠制御装置は、前記記憶媒体ホルダに前記記憶媒体を装着させた状態で、前記記憶媒体から前記第２識別情報を入力し、前記登録情報として登録することを特徴とする建物の施解錠システム。
【請求項２】
前記施解錠制御装置は、前記記憶媒体及び前記記憶媒体ホルダの端子部同士を接触させた状態で、前記記憶媒体から前記第２識別情報を入力し、前記登録情報として登録することを特徴とする請求項１に記載の建物の施解錠システム。
【請求項３】
前記記憶媒体ホルダに複数の記憶媒体装着部を設け、前記施解錠制御装置はこれら記憶媒体装着部に装着された前記記憶媒体ごとに前記第２識別情報を登録することを特徴とする請求項１又は請求項２に記載の建物の施解錠システム。
【請求項４】
前記施解錠制御装置に対して予め登録された暗証番号が入力された場合に、前記記憶媒体から前記施解錠制御装置への前記第２識別情報の登録を許可することを特徴とする請求項１から請求項３のいずれかに記載の建物の施解錠システム。
【請求項５】
前記施解錠制御装置は、前記記憶媒体が前記記憶媒体ホルダから取り外された場合にその記憶媒体に記憶されている第２識別情報を前記登録情報から抹消することを特徴とする請求項１から請求項４のいずれかに記載の建物の施解錠システム。
【請求項６】
前記施解錠制御装置に対して予め登録された暗証番号が入力された場合に、前記施解錠制御装置に登録された登録情報の抹消を許可することを特徴とする請求項５に記載の建物の施解錠システム。
【請求項７】
前記携帯機は、当該携帯機内に装備された電子機器に給電可能なバッテリを備えるとともに、前記記憶媒体を着脱可能な装着部を備え、
前記記憶媒体が前記装着部に装着されることにより、前記バッテリと前記電子機器との電気的接続を切断して、前記バッテリから前記電子機器への給電を遮断することを特徴とする請求項５又は請求項６に記載の建物の施解錠システム。
【請求項８】
前記施解錠制御装置を、複数のドア、窓等の電子錠に施解錠信号を出力可能に構成したことを特徴とする請求項１から請求項７のいずれかに記載の建物の施解錠システム。
【請求項９】
前記ドア、窓等の解錠を行う場合に入力された前記第１識別情報の送信元である前記携帯機を示す表示をする表示手段を備えることを特徴とする請求項１から請求項８のいずれかに記載の建物の施解錠システム。
【請求項１０】
前記表示手段は、前記ドア、窓等の解錠を行う場合に入力された前記第１識別情報に対応する前記第２識別情報が記憶された前記記憶媒体を示す表示をすることを特徴とする請求項９に記載の建物の施解錠システム。
【請求項１１】
前記施解錠制御装置は、前記携帯機に前記第１識別情報の送信を要求するリクエスト信号を前記ドア、窓等の周辺の所定領域に送信する送信手段と前記携帯機が送信した第１識別情報を受信する受信手段とを有し、
前記携帯機は、前記施解錠制御装置からのリクエスト信号を受信する受信手段と前記リクエスト信号受信時に当該携帯機が有する第１識別情報を前記施解錠制御装置に送信する送信手段とを有し、
前記施解錠制御装置は、前記受信手段が受信した第１識別情報と前記登録情報とを照合し、当該第１識別情報を認証した場合は前記電子錠に解錠信号を出力し、当該第１識別情報を認証しない場合は前記電子錠に解錠信号を出力しないことを特徴とする請求項１から請求項１０のいずれかに記載の建物の施解錠システム。
【請求項１２】
前記記憶媒体は、前記携帯機から前記第１識別情報と関連づけがされた第２識別情報を取得することを特徴とする請求項１から請求項１１のいずれかに記載の建物の施解錠システム。
【発明の詳細な説明】
【技術分野】
【０００１】
本発明は、建物の施解錠システムに関するものである。
【背景技術】
【０００２】
近年、セキュリティの向上を目的として、ＩＤコードを用いた施解錠システムが用いられている（例えば特許文献１参照）。この施解錠システムは、所定のＩＤコードが記憶された携帯機と、そのＩＤコード受信する施解錠制御装置とから構成されている。この施解錠システムでは、携帯機が施解錠制御装置からのリクエスト信号を受信すると、ＩＤコードを含む無線信号を施解錠制御装置に送信する。そして、施解錠制御装置は、受信したＩＤコードと予め登録されたＩＤコードとを比較し、それらＩＤコード同士が一致したときにドア錠を解錠する。
【０００３】
この施解錠システムにおいては、ＩＤコードを予め施解錠制御装置に登録しておく必要がある。この登録操作は、例えば次のようにして行われている。
【０００４】
まず、携帯機から施解錠制御装置に対して登録要求信号を無線送信する。これを受信した施解錠制御装置は、携帯機に対して登録許可信号を無線送信する。そして、携帯機が登録許可信号を受信すると、携帯機からＩＤコードが無線送信される。これを施解錠制御装置が受信し、メモリに記憶することにより、携帯機のＩＤコードが登録される。
【０００５】
上述のようにＩＤコードを施解錠制御装置に登録する際には、携帯機と施解錠制御装置との間での複数回の無線による送受信が行われる。無線通信のように目に見えない手段のみで登録が完了するため、知らない間に他人にＩＤコードを追加登録されても、追加登録されたことに気がつかない可能性があり、セキュリティ上問題がある。
【特許文献１】特開２００４−９２１７３号公報
【発明の開示】
【発明が解決しようとする課題】
【０００６】
本発明は、上記問題に鑑みなされたものであり、識別情報が登録されている状態を視覚的に確認することができる建物の施解錠システムを提供することを主たる目的とするものである。
【課題を解決するための手段】
【０００７】
以下、上記課題を解決するのに有効な手段等につき、必要に応じて作用、効果等を示しつつ説明する。
【０００８】
本発明の建物の施解錠システムは、固有の第１識別情報を有し、当該第１識別情報を送信可能な携帯機と、前記第１識別情報と関連づけがされた第２識別情報が記憶された記憶媒体と、前記第２識別情報を登録可能であるとともに、前記携帯機から前記第１識別情報を受信して、当該第１識別情報と予め登録されている登録情報とを照合し、その照合結果に基づいて、ドア、窓等の施解錠を行う電子錠に施解錠信号を出力する施解錠制御装置と、前記記憶媒体を着脱可能であり、且つ、前記施解錠制御装置に電気的に接続された端子部を有する記憶媒体ホルダとを備えるものである。そして、前記施解錠制御装置は、前記記憶媒体ホルダに前記記憶媒体を装着させた状態で、前記記憶媒体から前記第２識別情報を入力し、前記登録情報として登録することを特徴としている。
【０００９】
これによると、記憶媒体が記憶媒体ホルダに装着されることにより第２識別情報の登録が行われるので、登録状態を視覚的に確認することが容易となる。
【００１０】
前記施解錠制御装置は、前記記憶媒体及び前記記憶媒体ホルダの端子部同士を接触させた状態で、前記記憶媒体から前記第２識別情報を入力し、前記登録情報として登録することが望ましい。これによると、記憶媒体に記憶された第２識別情報は、記憶媒体及び記憶媒体ホルダの端子部同士を接触させた状態で施解錠制御装置に入力され、施解錠制御装置に登録される。これにより、無線通信等の非接触の場合に比べて、第２識別情報の入力の確実性が向上し、登録ミスを抑制することができる。
【００１１】
前記記憶媒体ホルダに複数の前記媒体装着部を設け、前記施解錠制御装置はこれら前記媒体装着部に装着された前記記憶媒体ごとに前記第２識別情報を登録することが望ましい。これによると、建物の複数のユーザが、ユーザごとに異なる第１識別情報が記憶された携帯機を所有する場合であっても、各第１識別情報に対応する第２識別情報を登録することができる。この結果、各人の有する携帯機でドア等を施解錠することが可能になる。
【００１２】
前記施解錠制御装置に対して予め登録された暗証番号が入力された場合に、前記記憶媒体から前記施解錠制御装置への前記第２識別情報の登録を許可することが望ましい。これにより、暗証番号を知らない者により不正に識別情報が登録されることを抑制することができ、セキュリティ性を向上することが可能となる。
【００１３】
前記施解錠制御装置は、前記記憶媒体が前記記憶媒体ホルダから取り外された場合にその記憶媒体に記憶されている第２識別情報を前記登録情報から抹消することが望ましい。これにより、ユーザの意向に応じて施解錠制御装置に登録された第２識別情報を抹消し、新たな第２識別情報に更新することが可能となり、セキュリティ性が向上する。また、記憶媒体を記憶媒体ホルダから取り外すことによりこの記憶媒体に記憶された第２識別情報が施解錠制御装置から抹消されるので、登録情報の抹消が行われたことを視覚的に確認することができる。これにより、知らない間に他人に登録情報の抹消が行われた場合でも、そのことに容易に気付くことが可能となる。
【００１４】
前記施解錠制御装置に対して予め登録された暗証番号が入力された場合に、前記施解錠制御装置に登録された登録情報の抹消を許可することが望ましい。これにより、暗証番号を知らない者により不正に登録情報が抹消されることを抑制することができ、セキュリティ性を向上することが可能となる。
【００１５】
前記携帯機は、当該携帯機内に装備された電子機器に給電可能なバッテリを備えるとともに、前記記憶媒体を着脱可能な装着部を備え、前記記憶媒体が前記装着部に装着されることにより、前記バッテリと前記電子機器との電気的接続を切断して、前記バッテリから前記電子機器への給電を遮断することが望ましい。携帯機の装着部に記憶媒体が装着されている場合には、この記憶媒体が記憶媒体ホルダから取り外された状態となっているため、この携帯機に対応する第２識別情報は施解錠制御装置に登録されていない。このように、携帯機の装着部に記憶媒体が装着されていて、この携帯機が使用されていない場合には、バッテリから電子機器への給電が遮断されるので、バッテリの消耗を抑制することが可能となる。
【００１６】
前記施解錠制御装置を、複数のドア、窓等の電子錠に施解錠信号を出力可能に構成することが可能である。これにより、各ドア、窓等ごとに施解錠制御装置を配設することが不要となり、システム全体を簡素化することが可能となる。
【００１７】
前記ドア、窓等の解錠を行う場合に入力された前記第１識別情報の送信元である前記携帯機を示す表示をする表示手段を備えることが望ましい。これにより、表示がされていないにもかかわらず、ドア、窓等が解錠状態にある場合には、施解錠制御装置の誤動作の可能性があることをユーザに示唆し、ユーザに点検を促すことも可能となる。
【００１８】
なお、送信元である携帯機を示す表示は、前記ドア、窓等の解錠を行う場合に入力された第１識別情報に対応する前記第２識別情報が記憶された前記記憶媒体を示すことにより行うことが可能である。
【００１９】
前記施解錠制御装置は、前記携帯機に前記第１識別情報の送信を要求するリクエスト信号を前記ドア、窓等の周辺の所定領域に送信する送信手段と前記携帯機が送信した第１識別情報を受信する受信手段とを有し、前記携帯機は、前記施解錠制御装置からのリクエスト信号を受信する受信手段と前記リクエスト信号受信時に当該携帯機が有する第１識別情報を前記施解錠制御装置に送信する送信手段とを有し、前記施解錠制御装置は、前記受信手段が受信した第１識別情報と前記登録情報とを照合し、当該第１識別情報を認証した場合は前記電子錠に解錠信号を出力し、当該第１識別情報を認証しない場合は前記電子錠に解錠信号を出力しないことが望ましい。
【００２０】
これによると、施解錠制御装置に登録された第２登録情報と関連づけがされた第１識別情報を有する携帯機を持った者がドア、窓等の周辺の所定領域に入ると、第１識別情報の認証がなされ、自動的にドア、窓等が解錠される。また、この携帯機を持った者がドア、窓等の周辺の所定領域から出ると、自動的にドア、窓等が施錠される。このため、携帯機を持った者は一切の操作を行うことなくドア、窓等を施解錠することができ、利便性が向上する。
【００２１】
なお、前記記憶媒体は、前記携帯機から前記第１識別情報と関連づけがされた第２識別情報を取得するようにしてもよい。
【発明を実施するための最良の形態】
【００２２】
以下、本発明を具体化した一実施の形態を図面に基づいて説明する。図１は、本実施形態に係る施解錠システム１０における施解錠装置５０の屋内制御盤６１及び電子キー２０を示す斜視図である。図２は、本実施形態に係る施解錠システム１０の構成を示すブロック図である。図３は、本実施形態に係る施解錠システム１０が適用された玄関ドア１１の全体構成を示す構成図である。図４は、本実施形態に係る電子キー２０における内部構造の要部を概念的に示す図であり、（ａ）は電子キー２０の正面方向から、（ｂ）は電子キー２０の側面方向から見た図である。図５は、側面方向から見た屋内制御盤６１におけるカード接続部５５の内部構造の要部を概念的に示す図である。
【００２３】
本実施の形態は、住宅の玄関ドア１１に本発明の施解錠システム１０を適用したものである。図１から図３に示すように、施解錠システム１０は、家人によって所持される電子キー２０と、住宅の玄関ドア１１内に配設される施解錠装置５０とを備えている。そして、電子キー２０と施解錠装置５０とは相互通信可能に構成されている。
【００２４】
＜電子キー２０の構成＞
図１に示すように、電子キー２０は、携帯機２１及びメモリカード２２とで構成されている。携帯機２１は、送信回路２３、送信アンテナ２４、受信回路２５、受信アンテナ２６及びマイコン２７を含んで構成されている。受信回路２５は、施解錠装置５０から送信されたリクエスト信号を受信アンテナ２６を介して受信する。そして、受信回路２５は、そのリクエスト信号をマイコン２７に入力する。マイコン２７には、固有の識別情報であるＩＤコード（以下「携帯機側ＩＤコード」と呼ぶ）が予め記憶されている。そして、マイコン２７は、受信回路２５からリクエスト信号が入力された場合に、携帯機側ＩＤコードを含む送信信号（携帯機側ＩＤコード信号）を送信回路２３に出力する。送信回路２３は、携帯機側ＩＤコード信号を所定周波数の電波に変調して送信アンテナ２４から送信するための回路である。
【００２５】
図４に示すように、メモリカード２２は略長方形の板状をなし、携帯機２１にはメモリカード２２を着脱可能とするスロット２８が形成されている。メモリカード２２は、樹脂製筐体内に収容された不揮発性メモリを含んで構成されている。この不揮発性メモリには、携帯機側ＩＤコードに関連付けがされたＩＤコード（以下「関連ＩＤコード」と呼ぶ）が記憶されている。関連ＩＤコードは、携帯機２１又は他の書込装置によってメモリカード２２に書き込まれる。筐体の一辺側には、接触されて関連ＩＤコードの読み出しが行われる接続端子２９が形成されている。また、接続端子２９が形成されている辺と隣接する辺には、凹部３０が形成されている。
【００２６】
スロット２８内には、凸状をなし、メモリカード２２の挿入時にその凹部３０と係合する係合部３１が設けられている。メモリカード２２を接続端子２９が形成されている側からスロット２８内に挿入すると、凹部３０に係合部３１が係合し、メモリカード２２がスロット２８から容易には外れないようになっている。また、この凹部３０と係合部３１との係合は、メモリカード２２を抜出方向に所定の力を加えることにより、解除されるようになっている。なお、メモリカード２２には、対応する携帯機２１を特定可能なシール又は印刷等による表示がされている。この表示は、スロット挿入方向の後方側にされている。この表示により、メモリカード２２を見れば、それに対応する携帯機２１を特定することが可能となっている。
【００２７】
携帯機２１内にはバッテリ４１が設けられており、このバッテリ４１によりマイコン２７等に給電可能となっている。バッテリ４１とマイコン２７とは、メモリカード２２がスロット２８に挿入された状態では電気的接続が切断され、メモリカード２２が抜き出された状態では電気的に接続されるように構成されている。具体的には、スロット２８にはメモリカード２２の厚さ方向に穴部３８が穿設されている。そして、この穴部３８の底面部及びこの底面部に対向するスロット面にそれぞれバッテリ４１に接続された第１及び第２の接続端子３６，３７が設けられている。穴部３８には導電材で形成されたばね３９が配置されており、ばね３９の一端は第１接続端子３６に固定され、他端は導電材で形成された通電接続部４０に固定されている。通電接続部４０の第２接続端子３７側におけるスロット２８の挿入口３５側には、傾斜部４０ａが形成されている。
【００２８】
スロット２８にメモリカード２２が挿入されていない状態では、通電接続部４０はばね３９の付勢力により第２接続端子３７に接続されている。これにより、スロット２８にメモリカード２２が挿入されていない状態では、バッテリ４１とマイコン２７とが電気的に接続される。また、スロット２８にメモリカード２２が挿入されるとメモリカード２２の端部により傾斜部４０ａが押され、通電接続部４０がばね３９の付勢力に抗して第１接続端子３６側に移動する。そして、第２接続端子３７と通電接続部４０との間にメモリカード２２の樹脂製の筐体が配置されるようになっている。これにより、メモリカード２２を挿入した状態では、バッテリ４１とマイコン２７との電気的接続が切断されるようになっている。
【００２９】
＜施解錠装置５０の構成＞
図２に示すように、施解錠装置５０は、登録スイッチ部５１、暗証番号入力部５２、認証表示部５３、電動サムターン５４、カード接続部５５、受信回路５６、送信回路５７、マイコン５８、屋外アンテナ部５９及び屋内アンテナ部６０を含んで構成されている。
【００３０】
図１及び図３に示すように、登録スイッチ部５１、暗証番号入力部５２、認証表示部５３、カード接続部５５及び電動サムターン５４は、玄関ドア１１の屋内側に設けれた屋内制御盤６１に一体的に設けられている。暗証番号入力部５２は０から９までの１０個の数字を並べて配置したいわゆるテンキーによるボタンスイッチで構成されている。また、登録スイッチ部５１は、暗証番号入力部５２とともに並べて設けられたボタンスイッチであり、登録ボタンと解除ボタンにより構成されている。登録スイッチ部５１及び暗証番号入力部５２の各ボタンスイッチは、マイコン５８に電気的に接続されており、各ボタンスイッチの押圧操作によりマイコン５８に信号が入力されるようになっている。
【００３１】
カード接続部５５は、屋内制御盤６１における登録スイッチ部５１及び暗証番号入力部５２の上方位置に設けられており、複数（本実施形態では３つ）の挿入スロット６２を有している。挿入スロット６２は、メモリカード２２に設けられた凹部３０を上にして接続端子２９側から挿入可能に形成されている。図５に示すように、各挿入スロット６２の奥には、メモリカード２２の接続端子２９と接続される端子接続部６３が設けられている。また、カード接続部５５は、挿入スロット６２に挿入されたメモリカード２２をロックする電子制御式のロック機構６４を含んで構成されている。
【００３２】
端子接続部６３は、メモリカード２２を挿入スロット６２の奥まで差し込んだ場合にメモリカード２２の接続端子２９と機械的接触により接続され、メモリカード２２内に記憶されている関連ＩＤコードを読み取り可能となっている。端子接続部６３はマイコン５８に電気的に接続されており、端子接続部６３で読み取った関連ＩＤコードはマイコン５８に入力されるようになっている。なお、メモリカード２２に付されている対応する携帯機２１を示す表示は、メモリカード２２を挿入スロット６２に挿入した状態で外部から認識可能となっている。
【００３３】
ロック機構６４は、マイコン５８に電気的に接続されており、マイコン５８からの信号により駆動されるようになっている。ロック機構６４は、挿入スロット６２に挿入されたメモリカード２２の凹部３０に噛み合って、挿入されたメモリカード２２を抜き出すことを不能とすることができる爪部６４ａを有している。また、マイコン５８からロック解除信号が入力された場合には、メモリカード２２の凹部３０との噛み合いを解除してメモリカード２２を挿入スロット６２から抜き出すことが可能とされている。
【００３４】
認証表示部５３は、各挿入スロット６２の上方位置にそれぞれ設けられており、内部にＬＥＤを含んで構成されている。認証表示部５３は、マイコン５８に電気的に接続されており、マイコン５８からの表示信号により、ＬＥＤが点灯可能となっている。電動サムターン５４は、暗証番号入力部５２及び登録スイッチ部５１の下方位置に設けられている。電動サムターン５４は、マイコン５８に電気的に接続されており、マイコン５８からの施解錠信号により玄関ドア１１を施解錠するようになっている。
【００３５】
図３に示すように、屋外アンテナ部５９は玄関ドア１１の屋外側に設けられ、屋内アンテナ部６０は玄関ドア１１の屋内側に設けられている。図２に示すように、屋外アンテナ部５９の内部には、送信アンテナ５９ａと受信アンテナ５９ｂとが配設されている。また、屋内アンテナ部６０の内部には、送信アンテナ６０ａと受信アンテナ６０ｂとが配設されている。送信アンテナ５９ａ，６０ａは送信回路５７に電気的に接続され、受信アンテナ５９ｂ，６０ｂは受信回路５６に電気的に接続されている。
【００３６】
送信回路５７は、マイコン５８から出力されるリクエスト信号を所定周波数の電波に変調し、送信アンテナ５９ａ，６０ａから送信するための回路である。詳述すると、送信回路５７は、送信アンテナ５９ａを介して屋外側における玄関ドア１１周辺の所定領域Ａ１にリクエスト信号を送信するとともに、送信アンテナ６０ａを介して屋内側における玄関ドア１１周辺の所定領域Ａ２にリクエスト信号を送信する。すなわち、これらの所定領域Ａ１，Ａ２において、携帯機２１はリクエスト信号を受信可能となっている。
【００３７】
受信アンテナ５９ｂ，６０ｂは、携帯機２１から送信された携帯機側ＩＤコード信号を受信し、その信号を受信回路５６に入力する。受信回路５６は、入力された携帯機側ＩＤコード信号をパルス信号に復調して受信信号を生成し、マイコン５８に入力する。
【００３８】
マイコン５８は、具体的にはＣＰＵ，ＲＯＭ，ＲＡＭからなるＣＰＵユニットである。マイコン５８には、登録スイッチ部５１、暗証番号入力部５２、認証表示部５３、カード接続部５５及び電動サムターン５４が電気的に接続されている。
【００３９】
マイコン５８は、玄関ドア１１を施解錠可能な携帯機２１に対応するメモリカード２２の関連ＩＤコードを登録可能に構成されている。また、マイコン５８には、リクエスト情報が記憶されている。そして、マイコン５８は、施解錠装置５０が作動している間、常時、リクエスト信号を送信回路５７へと出力する。また、マイコン５８には、受信回路５６から受信信号が入力されるように構成されている。
【００４０】
マイコン５８では、携帯機２１から受信した携帯機側ＩＤコードと予め記憶（登録）されたＩＤコードとが比較（照合）される。すなわち、受信した携帯機側ＩＤコードに対応する関連ＩＤコードが、玄関ドア１１を施解錠可能なものとして登録されているかが照合される。受信した携帯機側ＩＤコードに対応する関連ＩＤコードが登録されている場合には、マイコン５８はこれを認証して電動サムターン５４に解錠信号を出力する。それととともに、認証した携帯機側ＩＤコードと対応するメモリカード２２が挿入されているスロット２８上方の認証表示部５３に対して表示信号を出力する。電動サムターン５４は解錠信号を受けて解錠駆動され、玄関ドア１１が解錠される。一方、受信した携帯機側ＩＤコードに対応する関連ＩＤコードが登録されていない場合には、マイコン５８はこれを認証せず電動サムターン５４に解錠信号を出力しない。そのため、玄関ドア１１の施錠状態が維持される。また、マイコン５８に携帯機側ＩＤコードが入力されていない場合にも、電動サムターン５４には解錠信号を出力せず、玄関ドア１１の施錠状態が維持される。
【００４１】
マイコン５８に対しては、メモリカード２２を挿入スロット６２に挿入することにより、関連ＩＤコードを登録することが可能となっている。
【００４２】
次に、マイコン５８に関連ＩＤコードを登録するための手続きについて説明する。まず、メモリカード２２を挿入スロット６２に挿入していない状態で、ユーザにより登録スイッチ部５１の登録ボタンが押され、続けて暗証番号が入力される。正しい暗証番号が入力された場合には、登録可能モードに移行する。一方正しい暗証番号が入力されなかった場合には、登録可能モードには移行せず、ＩＤコードの追加登録ができない状態が維持される。なお、正しい暗証番号が入力されたか否かをユーザに知らせるために、音声やランプ等の表示を行ってもよい。
【００４３】
登録可能モードに移行した後、ユーザによりメモリカード２２が挿入スロット６２に挿入される。これにより、メモリカード２２の接続端子２９と挿入スロット６２内の端子接続部６３とが機械的接触により接続される。そして、マイコン５８によりメモリカード２２内に記憶されている関連ＩＤコードが接続端子２９と端子接続部６３との接続部を介して読み取られ、追加登録される。これにより、登録可能モードが終了する。なお、登録可能モードに移行した後、一定時間内にＩＤコードの追加登録が完了しなかった場合にも、登録可能モードが終了する。
【００４４】
登録済みのＩＤコードを、適切な手続きにより解除することも可能である。登録を解除する際には、まず、ユーザにより解除ボタンが押され、続けて暗証番号が入力される。正しい暗証番号が入力された場合には、登録解除モードに移行する。一方、正しい暗証番号が入力されなかった場合には、登録解除モードには移行しない。
【００４５】
登録解除モードに移行すると、マイコン５８によってロック機構６４が作動され、メモリカード２２のロックが解除される。そして、所定時間内に挿入スロット６２からメモリカード２２が抜き出され、メモリカード２２の接続端子２９と挿入スロット６２内の端子接続部６３との機械的接続が解除されると、この抜き出されたメモリカード２２の関連ＩＤコードがマイコン５８から削除される。これにより、登録解除モードが終了する。なお、登録解除モードに移行した後、一定時間内にメモリカード２２の抜き出しが完了しなかった場合にも、マイコン５８に登録されていたＩＤコードが削除されることなく登録解除モードが終了する。
【００４６】
以上のように構成された施解錠システム１０の作動について説明する。
【００４７】
携帯機２１を持った家人が玄関ドア１１に近づくと、携帯機２１の認証が行われる。具体的には、携帯機２１を持った家人がリクエスト信号の到達圏内Ａ１又はＡ２に進入すると、屋内アンテナ部６０又は屋外アンテナ部５９から送信されてきたリクエスト信号が携帯機２１に受信される。携帯機２１がリクエスト信号を受信すると、携帯機２１から携帯機側ＩＤコード信号が送信される。この携帯機側ＩＤコード信号が屋内アンテナ部６０又は屋外アンテナ部５９に受信されると、この携帯機側ＩＤコード信号が受信回路５６を介して施解錠装置５０のマイコン５８に入力される。その後、マイコン５８によって、入力された携帯機側ＩＤコードと予め記憶（登録）されたＩＤコードとが比較（照合）される。照合の結果、入力された携帯機側ＩＤコードが認証されれば、電動サムターン５４に解錠信号が出力される。これにより、電動サムターン５４は解錠駆動され、玄関ドア１１が自動的に解錠状態とされて玄関ドア１１を通過することが可能となる。一方、認証がされなかった場合には、玄関ドア１１の施錠状態が維持され、玄関ドア１１を通過することはできない。
【００４８】
玄関ドア１１を通過して玄関ドア１１を閉じた後、玄関ドア１１から離れてリクエスト信号到達圏内Ａ１又はＡ２から出ると、携帯機２１から携帯機側ＩＤコード信号が送信されなくなる。そのため、マイコン５８から電動サムターン５４に解錠信号が出力されず、玄関ドア１１が自動的に施錠状態とされる。
【００４９】
以上詳述した本実施の形態によれば、以下の優れた効果が得られる。
【００５０】
本実施形態では、メモリカード２２を挿入スロット６２に挿入することにより、メモリカード２２の接続端子２９と挿入スロット６２内の端子接続部６３とが機械的接触により接続される。そして、接続端子２９と端子接続部６３との接触部を介してメモリカード２２内に記憶されている関連ＩＤコードを読み取り、この関連ＩＤコードがマイコン５８に登録される。このように、機械的接触により接続される部位を介して関連ＩＤコードの読み取りが行われるので、無線通信等の非接触の場合に比べて読み取りの確実性を向上させることができ、登録ミスを抑制することができる。
【００５１】
本実施形態では、挿入スロット６２が複数設けられている。このため、これら複数の挿入スロット６２のうちの複数にメモリカード２２を挿入することにより、複数の関連ＩＤコードを登録することが可能になる。この結果、住宅の複数の住人ごとに異なるＩＤコードが記憶された電子キー２０を所有する場合であっても、各人の有する電子キー２０で玄関ドア１１を施解錠することが可能になる。
【００５２】
本実施形態では、新たな関連ＩＤコードが追加登録される場合には、挿入スロット６２に新たなメモリカード２２が挿入されることとなる。このため、挿入スロット６２へ挿入されているメモリカード２２の挿入枚数を見れば、いくつのＩＤコードが登録されているかを確認することができる。この結果、知らない間に他人にＩＤコードを追加登録された場合でも、そのことに容易に気付くことが可能となる。また、メモリカード２２には、対応する携帯機２１を特定できる表示が付されており、メモリカード２２が挿入スロット６２に挿入された状態でこの表示を外部から認識可能となっている。これにより、どの携帯機２１に対応する識別情報が登録されているかを視覚的に確認することができる。
【００５３】
本実施形態では、メモリカード２２を挿入スロット６２から抜き出して、メモリカード２２の接続端子２９と挿入スロット６２内の端子接続部６３との機械的接続が解除されると、この抜き出されたメモリカード２２の関連ＩＤコードがマイコン５８から削除される。これにより、ユーザの意向に応じてマイコン５８に登録された関連ＩＤコードを削除し、別の電子キー２０の関連ＩＤコードに更新するが可能になる。この結果、セキュリティ性を向上することが可能となる。また、メモリカード２２が挿入スロット６２から抜き出されることによりこのメモリカード２２の関連ＩＤコードがマイコン５８から削除されるので、関連ＩＤコードの登録が解除されたことを視覚的に確認することができる。これにより、知らない間に他人にＩＤコードを削除された場合でも、そのことに容易に気付くことが可能となる。
【００５４】
本実施形態では、関連ＩＤコードの追加登録及び削除の際には、暗証番号の入力が要求されている。これにより、暗証番号を知らない他人により不正に関連ＩＤコードが登録されたり、削除されたりすることを抑制することができ、セキュリティ性を向上することが可能となる。
【００５５】
本実施形態では、携帯機２１から送信された携帯機側ＩＤコードが認証されて玄関ドア１１が解錠された場合には、認証された携帯機側ＩＤコードと対応するメモリカード２２上方の認証表示部５３が点灯する。これにより、認証表示部５３の点灯状態により、電子キー２０による正常な解錠か、施解錠装置５０の誤動作によるものかを確認することができる。また、電子キー２０による解錠がなされた場合にも、どの電子キー２０による解錠かを確認することもできる。さらに、認証表示部５３が点灯していないにもかかわらず、玄関ドア１１が解錠状態となっている場合には、誤動作の可能性を示唆することで、ユーザに点検を促すことが可能となる。
【００５６】
本実施形態では、カード接続部５５には、挿入スロット６２に挿入されたメモリカード２２をロックするロック機構６４が設けられている。そして、このロック機構６４は、登録解除モードに移行していない場合に、メモリカード２２を挿入スロット６２から抜き出すことを不能としている。これにより、登録解除モードに移行していない場合におけるメモリカード２２の抜き出しやメモリカード２２の落下を抑制することが可能となる。
【００５７】
電子キー２０は、スロット２８内にメモリカード２２を挿入した状態では、携帯機２１内のバッテリ４１からマイコン２７への給電が切断されるように構成されている。これにより、携帯機２１とメモリカード２２とが一体化されている場合、すなわち、この電子キー２０の関連ＩＤコードが施解錠装置５０に登録されておらず、この電子キー２０が不使用の状態にある場合に、電子キー２０のバッテリ４１の消耗を抑制することが可能となる。
【００５８】
本実施形態では、施解錠装置５０に登録された関連ＩＤコードに対応する携帯機側ＩＤコードを有する携帯機２１を持った家人が玄関ドア１１に近づくと、携帯機側ＩＤコードの認証がなされ、自動的に玄関ドア１１が解錠される。また、この携帯機２１を持った家人が玄関ドア１１から離れると、自動的に玄関ドア１１が施錠される。このため、携帯機２１を持った家人は、一切の操作を行うことなくドア錠を施解錠することができる。
【００５９】
なお、本発明は上記実施の形態の記載内容に限定されず、例えば次のように実施しても良い。
【００６０】
上記実施形態では、施解錠装置５０を玄関ドア１１に設けた場合について説明した。しかし、本発明の施解錠システム１０は、玄関ドア１１に限らず、他のドア、窓等にも適用可能である。
【００６１】
上記実施形態では、施解錠装置５０は玄関ドア１１のみの施解錠を制御するためのものとして説明した。しかし、一つのマイコン５８で複数のドアの施解錠を制御可能な構成とすることも可能である。すなわち、施解錠装置５０のマイコン５８に登録された登録情報に基づいて各ドアの施解錠を集中的に管理可能なものとすることも可能である。これにより、各ドアごとにマイコン５８を配設することが不要となり、システム全体を簡素化することが可能となる。
【００６２】
上記実施形態では、メモリカード２２に記憶された関連ＩＤコードは、携帯機２１のマイコン２７に記憶されているＩＤコードと関連付けがされたものを用いた。この「関連付け」としては、携帯機２１側及びメモリカード２２側の一方から他方を特定できるものであれはどのようなものであってもよく、両者を同一のものとすることも可能である。
【００６３】
上記携帯機２１及びメモリカード２２に記憶されている両ＩＤコードを暗号化することも可能である。これにより、セキュリティをさらに高めることが可能となる。
【００６４】
上記実施形態では、電子キー２０として双方向通信によるハンドフリーシステムを採用した。しかし、電子キー２０の形態はこれに限らず、ボタン操作等により施解錠を行うもの等でもよい。
【図面の簡単な説明】
【００６５】
【図１】本実施形態に係る施解錠システムにおける施解錠装置の屋内制御盤及び電子を示す斜視図。
【図２】本実施形態に係る施解錠システムの構成を示すブロック図。
【図３】本実施形態に係る施解錠システムが適用された玄関ドアの全体構成を示す構成図。
【図４】（ａ）は正面方向から見た電子キーの内部構造の要部を概念的に示す図、（ｂ）は側面方向から見た電子キーの内部構造の要部を概念的に示す図。
【図５】側面方向から見た屋内制御盤におけるカード接続部の内部構造の要部を概念的に示す図。
【符号の説明】
【００６６】
１０…施解錠システム、１１…玄関ドア、２０…電子キー、２１…携帯機、２２…メモリカード、２３…送信回路、２４…送信アンテナ、２５…受信回路、２６…受信アンテナ、２７…マイコン、２８…スロット、２９…接続端子、３０…凹部、３１…係合部、３５…挿入口、３６…第１接続端子、３７…第２接続端子、３８…穴部、３９…ばね、４０…通電接続部、４１…バッテリ、５０…施解錠装置、５１…登録スイッチ部、５２…暗証番号入力部、５３…認証表示部、５４…電動サムターン、５５…カード接続部、５６…受信回路、５７…送信回路、５８…マイコン、５９…屋外アンテナ部、６０…屋内アンテナ部、５９ａ，６０ａ…送信アンテナ、５９ｂ，６０ｂ…受信アンテナ、６１…屋内制御盤、６２…挿入スロット、６３…端子接続部、６４…ロック機構。
【図１】
0004723418.tif 000002
【図２】
0004723418.tif 000003
【図３】
0004723418.tif 000004
【図４】
0004723418.tif 000005
【図５】
0004723418.tif 000006